(57)【要約】      （修正有）【課題】ファンの吸込み、排出の風量によって、悪臭空気を効率的に消臭できるとともにコンパクトな場所にも設置できる消臭装置を提供する。【解決手段】消臭装置１の本体２に組み込んだファン３で吸い込み側４と排出側５を構成し、その側面に交換着脱自在の筒体６ａ、６ｂを設け、内部に不織布フィルター層８ａ、８ｂと消臭フィルター層９ａ、９ｂとに分離化して、悪臭空気を空気孔７ａより吸込んで不織布フィルター層８ａで微細粉塵を付着させ、消臭フィルター層９ａで酸化分解消臭し  更に、ファン３の排出側５に残悪臭空気を送風して消臭フィルター層９ｂで酸化分解消臭させて、不織布フィルター層８ｂから消臭された空気を空気孔７ｂより外部へ排出することを構成し、本体２と設置台１２との間に脚部１３を設けて、全体が斜めと回転でき姿勢変更自在な位置で固定できることを構成した消臭装置１。【選択図】図２
0003118564.tif 000002
【実用新案登録請求の範囲】
【請求項１】
本体に組み込まれたファンで空気を吸い込む吸込み側と、ファンで空気を排出する排出側とで構成し、吸込み側と排出側の側面に交換着脱自在の筒体を設けたことを特長とする消臭装置。
【請求項２】
請求項１において、交換着脱自在の筒体内部の構成として、空気中の悪臭空気を吸込み側の空気孔より吸込み不織布フィルター層で微細粉塵を付着させ、悪臭空気を消臭フィルター層へ吸込み、酵素付着又は含浸させた消臭フィルター層で酵素が悪臭空気を取入れて酸化分解させ  更に、ファンの吸込み側から排出側へと残悪臭空気を送風し、酵素付着又は含浸させた消臭フィルター層へ入り、酵素が残悪臭空気を取入れて酸化分解させ不織布フィルター層で拡散し排出側の空気孔より消臭された空気が外部へでることと、交換着脱自在の筒体と内部構成フィルターが同一構成品であるため、粉塵、消臭等を考慮して左右筒体を交換できることで使用期間を延ばすことを特長とする消臭装置。
【請求項３】
請求項１において、本体と設置台との間に脚部を設け、本体と筒体全体を斜め又は回転させることで姿勢変更自在と固定ができ、設置台にはネジ止め孔、差込爪、折り曲げ爪等を構成し全てかいずれかを装備し、色々な場所にコンパクトに設置できることを特長とする消臭装置。
【考案の詳細な説明】
【技術分野】
【０００１】  本考案は、本体に組み込まれたファンで吸込み側と排出側とで構成し、側面に交換着脱自在の筒体を設け、内部に不織布フィルター層と消臭フィルター層を設けてファンの風量によって効率よく消臭効果を発揮し、本体と筒体全体を斜め又は回転させることで姿勢変更自在な位置で固定ができ、設置場所として車内、電車内、ホテル、室内、下駄箱、物置、押し入れ等の小スペースにも設置できる消臭装置。
【背景技術】
【０００２】  従来の消臭装置は吸込み側と排出側のどちらか一方で消臭、空気浄化し、金属酸化、活性炭、光触媒等で消臭する装置で片側主体の反応であるため大きい面積を必要とし、消費電力も多く  又、消臭、空気浄化方法はシート状、気相対流式等で消臭効果としてはその周囲だけ消臭するだけで大きな消臭効果は得られない。【０００３】  従来の消臭装置は吸込み側と排出側のどちらか一方で消臭する装置で、大きい面積とスペースを必要とし風量が多くそのため、騒音、消費電力、粉塵、ゴミ等の汚れ付着の処理と掃除等の手間と交換期間が短かった。【０００４】  従来の消臭装置は吸込み側と排出側のどちらか一方で消臭する装置で、大きい面積とスペースを必要とし、室内、車内、物置等での設置との利便性に問題があり空気の取り入れ方向を設置位置から変更できず斜め又は回転等の姿勢変更自在ができないためスペースを多く必要としていた。
【特許文献１】特開２００１−１７０１４４公報
【特許文献２】特開２００１−２２４９１９公報
【考案の開示】
【考案が解決しようとする課題】
【０００５】  本考案が前述の状況に鑑み、解決しようとするところは、ファンによる空気の吸込み側と、排出側のどちらか一方だけで空気を消臭、空気浄化している装置が多く、大きな面積を必要とし電気消費量と効率、掃除と交換期間等に問題がある。【０００６】  本考案は上記を考慮し、ファンによる空気の吸込み側と排出側の風量を効率的に利用し、少ない風量で電気消費量の少ないコンパクトな消臭装置を提供することを目的とする。
【課題を解決するための手段】
【０００７】  本考案の請求項１に記載の消臭装置は、本体に組み込まれたファンで空気を吸い込む吸込み側と、ファンで空気を排出する排出側とで構成し、吸込み側と排出側の側面に交換着脱自在の筒体を設けたことを特長とする。【０００８】  請求項２に記載の考案は、交換着脱自在の筒体内部の構成として、空気中の悪臭空気を吸込み側の空気孔より吸込み不織布フィルター層で微細粉塵を付着させ、悪臭空気を消臭フィルター層へ吸込み、酵素付着又は含浸させた消臭フィルター層で酵素が悪臭空気を取入れて酸化分解させ  更に、ファンの吸込み側から排出側へと残悪臭空気を送風し、酵素付着又は含浸させた消臭フィルター層へ入り、酵素が残悪臭空気を取入れて酸化分解させ不織布フィルター層で拡散し排出側の空気孔より消臭された空気が外部へでることと、交換着脱自在の筒体と内部構成フィルターが同一構成品であるため、粉塵、消臭等を考慮して左右筒体を交換できることで使用期間を延ばすことを特長とする。【０００９】  請求項３に記載の考案は、本体と設置台との間に脚部を設け、本体と筒体全体を斜め又は回転させることで姿勢変更自在と固定ができ、設置台にはネジ止め孔、差込爪、折り曲げ爪等を構成し全てかいずれかを装備し、色々な場所にコンパクトに設置できることを特長とする。
【考案の効果】
【００１０】  請求項１の考案によれば、本体に組み込まれたファンで空気を吸込み側と排出側に送風させ、両側の風量によって消臭効果と効率のよい電気消費量の少ない装置が得られる、従来は片側だけの風量を使用し大きい面積と電気消費量の多い消臭、空気浄化装置である。【００１１】  請求項２の考案によれば、交換着脱自在の筒体で構成したことで今までに見られないコンパクト化と電気消費量の少ない効率のよい消臭効果がえらる。又、ファンの吸込み側と排出側の筒体の内部に同一構成のフィルター層設け、少ない風量で反応面積を多くしたことで消臭効率が得られ、風量が少ないため粉塵が付着しにくく、フィルターの交換期間を大きく延ばすことが得られる。【００１２】  請求項３の考案によれば、本体と設置台の間に脚部を設け、本体と筒体全体を斜め又は回転させることで姿勢変更自在な位置で固定でき、設置場所として車内、室内、電車、下駄箱等に設置でき、今までの消臭装置等にはないコンパクト設置と携帯性、装飾性等が得られる。
【考案を実施するための最良の形態】
【００１３】  以下、本考案の実施形態を図面に基づいて詳細に説明する。
図１〜図６に示すように、本体２に組み込まれたファン３で空気を吸込む吸込み側４と空気を排出する排出側５とに構成し、吸込み側４と排出側５に空気層を分離する。【００１４】  上記、本体２に交換着脱自在の筒体６を設けて、その吸込み側筒体６ａの端部に空気孔７を設けて、その空気孔７ａより空気を吸込み、筒体６ａの内部に粉塵等を付着させる不織布フィルター層８ａを設けて付着させ悪臭空気を消臭フィルター層９ａである酵素付着又は含浸せた消臭フィルター層９ａで酵素が悪臭空気を取入れて酸化分解する。【００１５】  前記、悪臭空気を酸化分解できなかった残悪臭空気をファン３の排出側５へ送風し、消臭フィルター層９ｂに入り、酵素付着又は含浸させた消臭フィルター層９ｂで酵素が残悪臭空気を取入れて酸化分解させ、消臭された空気は不織布フィルター層８ｂを空気が通過し拡散して空気孔７ｂより外部へ排出する。【００１６】  本体２と設置台１２との間に脚部１３を設けて、本体２と筒体６全体を斜め又は回転させることで姿勢変更自在な位置で固定ができ、コンパクトな場所に設置できる形状である。
【実施例】
【００１７】  図１〜図６に本考案の実施例を示す。
同図において、本体２は合成樹脂、鉄（メッキ）、アルミ、紙製、木製等で形成し、その本体２にファン３と駆動源であるモータ１０を組み込み、空気を吸込む吸込み側４と空気を排出する排出側５に分離構成させ、ファン３に羽根保護のため保護網１１（柵）を設けている。【００１８】  前記、本体２には電源接続部（図示せず）を有し、直流電源が小型化できるため、主体電源とした供給電源方法（図示せず）として、車のシガレットプラグ電源と、ＡＣ／ＤＣ変換アダプターによる電源と、太陽電池、風力電池、乾電池等による電源供給とし、電源の入切り方法（図示せず）はスイッチ、タイマー、光暗色検知、温度検知、間欠タイマー等の方法等で入切りし、装置を駆動させる。【００１９】  上記、本体２に交換着脱自在の筒体６を設けて、その筒体６本体２とは簡単に着脱（図示せず）組込める方法でピン止め、ボールプランジャー止め、凹凸止め、ビス止め等で着脱できその筒体６端部の外周端部に長孔の空気孔７を設けてファン３より遠い位置より空気を吸込ますことと、空気孔の長孔以外等の孔（図示せず）を利用して不織布フィルター層８のフィルターを交換又は蓋（図示せず）による交換方法もある。
前記、本体２と筒体６の着脱部分にとの間に少し硬質の蛇腹形状継ぎ手（軽金属及び合成樹脂等）を組み込み回すこともでき、筒体全体が蛇腹形状等で構成でき、筒体６ａと６ｂとの方向を変位自在な形態に構成できる。
前記、筒体６の素材としては、合成樹脂、鋼板（メッキ）、銀（メッキ）、銅板、アルミ、ステンレス、紙体、木製、チタン合金、竹等で形成する。【００２０】  前記、吸込み側４の筒体６ａの空気孔７ａより悪臭空気と微細粉塵を吸込んで、円盤状等に形成された不織布フィルター層８ａで微細粉塵等を付着させ、悪臭空気を渦巻き状に形成した繊維素材の消臭フィルター層９ａへ吸込み消臭フィルター層９ａの酵素付着又は含浸させたフィルターの酵素が悪臭空気を取入れて酸化分解される。【００２１】  前記、吸込み側４で悪臭空気が酸化分解されなかった残悪臭空気をファン３の排出側５に送風し、排出側５の筒体６ｂ内部の消臭フィルター層９ｂへ送風され消臭フィルター層９ｂの酵素付着又は含浸させたフィルターの酵素が残悪臭空気を取入れて酸化分解させ、不織布フィルター層８ｂに送風され拡散し、空気孔７ｂより消臭された空気と、清浄化された空気が外部に排出する。【００２２】  上記、フィルター層である不織布フィルター層８と消臭フィルター層９はどちらも酵素を付着又は含浸させたものであってもよいが不織布フィルター層８は微細粉塵や汚れ等を付着させるための層で交換期間が違うため、不織布フィルター層８と消臭フィルター層９とで分離構成する。
上記、フィルターの素材は多孔質体の繊維で紙、布、綿、植物、合成繊維、金属繊維、活性炭、炭、ゼオライト等の微細繊維部分に酵素を付着または含浸させたフィルターであり、かつ、微細繊維内の酵素が悪臭空気を取入れて酸化分解させる酵素物質である。この酸化分解の酵素は、酵素成分に鉄成分を加えてこの酵素が酸素を取り入れることができるようしたことで、酵素が悪臭空気の臭い成分を取入れて酸化分解し消臭する。
前記、悪臭空気の臭い成分しては、アイモニア、体臭、芳香剤、尿、タバコ臭、堆肥臭、溶剤等の臭いを酵素が取入れて酸化分解される臭い成分。
又、酵素以外の消臭反応できる物質で微生物、活性炭、炭、酸化チタン（アナターゼ型）、可視光触媒体等を付着又は含浸させて消臭又は抗菌物質である銅、植物、銀、酸化チタン、金属酸化成分等の物質を付着又は含浸させることを付帯した消臭と抗菌等を兼ねるフィルターも構成できる。【００２３】  上記、フィルター層８と９の形状として多孔質繊維体でファン３の空気抵抗を少なくしたフィルター層８と９であり空気を乱流化しないフィルター形状と、酵素が悪臭空気を取入れて酸化分解する密度面積であり、多孔質繊維体のフィルター層８と９は図示以外として、渦巻状、螺旋状、節目状、Ｖ型折状、綾織状、ハニカム等で形状とその繊維の間に少し荒目の網目、綾織状等で二重にしたり、空気抵抗を少なくしたフィルター層８と９の形状、ファン３は小型で電気消費量が少なく効率がよく、コンパクトな消臭装置を構成することに寄与する。【００２４】  設置台１２にはネジ止め孔１６、差込爪１７、折り曲げ爪１８等の全てかいずれかを装備し、多少の伸縮性ができ設置場所に応じた取り付けができるためコンパクトで携帯性のある消臭装置が構成できる。設置台１２の素材として、鋼板（メッキ）、ステンレス、アルミ、合成樹脂等でできた成形物である。【００２５】  上記、本体２と設置台１２との間に脚部１３を設け、本体２と筒体６とが全体に斜め又は回転させることで姿勢変更自在ができ、その脚部１３は調整ボルト１４一箇所にて任意の回転位置、斜め位置で位置決め固定でき全体の荷重方向に対する反発力で支える調整ボルト１４で構成し、調整ボルト１４の締め付け部分はドライバーや硬貨等で締付け調整でき、コンパクトな室内装飾品にもなる消臭装置を提供する。
【産業上の利用可能性】
【００２６】  本考案は、本体にファンを組み込んで吸込み側と排出側の側面に交換着脱自在の筒体を設け、内部に空気抵抗の少ない不織布フィルター層と消臭フイルター層を組み込むことで小型で消臭効果と効率のよい消臭装置を提供する。
さらに、本体と設置台との間に脚部を設けたことで、コンパクト場所に設置でき、携帯性と装飾品を兼ねた消臭装置である。【００２７】  本考案の本体と筒体の形状として、円錐、円柱、円筒、角型、立方型、楕円、円輪型等色々な形状体での構成ができ、設置場所として車内、電車、室内、ホテル、下駄箱、物置、便所等での場所以外でもコンパクト型であるため色々な場所に設置できる。【００２８】  また、本考案の構成原理を利用して、ファンの風量と空気抵抗と消臭面積を考慮し、大型化してもよく、消臭効果と、騒音、消費電力、効率等も考慮し、設置場所として大会議室、ペットショップ、病院などの場所に設置でき、消臭と浄化できる利用できる消臭装置も提供できる。
【図面の簡単な説明】
【図１】本考案の実施の形態に関する消臭装置の全体斜視図である。
【図２】本考案の実施の形態に関する消臭装置の概略縦断面図である。
【図３】本考案の実施の形態に関する消臭装置のＹ−Ｙ断面を示した図である。
【図４】本考案の実施の形態に関する消臭装置のＺ−Ｚ断面を示した図である。
【図５】本考案の実施の形態に関する消臭装置の設置台と脚部を示した図である。
【図６】本考案の実施の形態に関する消臭装置の実施例を示す全体斜視図である。
【符号の説明】
【００２９】    １  消臭装置
２  本体
３  ファン
４  吸込み側
５  排出側
６  筒体
６ａ  筒体  （吸込み側）
６ｂ  筒体  （排出側）
７  空気孔
７ａ  空気孔  （吸込み側）
７ｂ  空気孔  （排出側）
８  不織布フィルター層
８ａ  不織布フィルター層（吸込み側）
８ｂ  不織布フィルター層（排出側）
９  消臭フィルター層
９ａ  消臭フィルター層  （吸込み側）
９ｂ  消臭フィルター層  （排出側）
９ｃ  消臭フィルター層  （繊維網目状）
１２  設置台
１３  脚部
１４  調整ボルト
１６  ネジ止め孔
１７  差込み爪
１８  折り曲げ爪
【図１】
0003118564.tif 000003
【図２】
0003118564.tif 000004
【図３】
0003118564.tif 000005
【図４】
0003118564.tif 000006
【図５】
0003118564.tif 000007
【図６】
0003118564.tif 000008